(57)【要約】【課題】ベビーベッド全体の安定性がよく、枢設ヘッドの構造が簡単で、コストを下げ、更に操作が簡易なベビーベッドの底部枢設ヘッド構造を提供する。      【解決手段】ベビーベッドの底部枢設ヘッド構造は、第一接手と第二接手から構成される。この第一、第二接手には、各々垂直下向きに外及び内支持脚が設置され、且つその外、内支持脚が重なって連接される。外支持脚には別に槽孔が設置され、そこに枢設軸が嵌着され、内支持脚には鉤槽が成形される。この枢設軸と外、内支持脚に嵌着する軸桿の間は圧縮バネで連接される。圧縮バネの弾力によって軸桿を引っ張り、桿体を開いて第一、第二接手を相互に掛合し、鉤槽に掛合されて固定する。また、枢設軸に設置された引き紐を引くと、第一、第二接手が鉤槽から外れて分離して、折り畳まれる。別に第一、第二接手に設置する桿体には細長孔が成形され、その細長孔に設置することによってベッドを折り畳んだ後、桿体を少し回転させ、全体の体積をより小さくする。【選択図】図１  
0003104102.tif 000002
【実用新案登録請求の範囲】
【請求項１】
本体の両側に垂直で下向きに外支持脚が設置され、その外支持脚の内側面には納置空間が形成され、この二本の外支持脚間の本体上端には欠切口が形成され、外支持脚の上下適する位置にそれぞれ傾斜した槽孔及び枢設孔が穿設され、外支持脚の相対する本体別側には各々通孔が穿設される第一接手と、
本体の両側に垂直で下向きに内支持脚が設置され、その二本の内支持脚は第一接手の外支持脚二本の間に納置され、二本の内支持脚の本体上端には凸塊が成形され、且つその凸塊は第一接手の欠切口に納置されるもので、この内支持脚の上下適する位置にはそれぞれ傾斜した鉤槽及び枢設孔が成形され、内支持脚の本体に相対する別側にはそれぞれ二辺に通孔が成形される第二接手と、
第一接手の槽孔に挿入する枢設軸と、
上述の外支持脚と内支持脚に挿入し、第一接手と第二接手を繋ぐ軸桿と、
枢設軸と軸桿の間を繋ぎ、枢設軸を下へ引く複数の圧縮バネと、
端部近くの相対する壁面に細長孔が成形され、第一接手第二接手の通孔に差し込み、ピンを細長孔に差し込んで第一、第二接手を繋ぐ四本の支持桿から構成されたベビーベッドの底部枢設ヘッド構造において、
上述構造の枢設軸に引き紐を設置し、その引き紐を引いた時、枢設軸が第二接手の鉤槽から外れ、第一、第二接手を開いて分離し、また第一、第二接手が合わさった時、バネの弾力によって枢設軸を鉤槽に入れて固定し、更に各桿体は第一接手もしくは第二接手を回転することを特徴とするベビーベッドの底部枢設ヘッド構造。
【考案の詳細な説明】
【技術分野】
【０００１】
本考案は、ベビーベッドの底部枢設ヘッド構造に関するもので、ベッド骨組の開閉を制御することによって、更に操作が簡易になって安定し、構造が簡単になる。また骨組全体を開いた時、底部フレームを固定することによって誤作動による縮小を防止し、折畳み後桿体を回転させるだけでベッドの布面を整理して全体を更に縮小し、体積を小さくするものである。
【背景技術】
【０００２】
公知の折畳み式ベビーベッド構造は、ベビーベッド上方四方辺フレーム全てに折畳スイッチが設置されており、その折畳スイッチを押すことによって、折畳スイッチに設置した掛合凸が折畳スイッチユニットに入り、フレームを折畳む。この他、ベッド体の底部に枢設ヘッドが設置され、その枢設ヘッドがベッド体底部のフレームを枢設していて、底部のフレームもまた折畳まれる。
【０００３】
例として、公知の文献１の構造は、固定台及び可動台が枢設されたものであり、固定台側面には複数の固定支持桿が設置される。また可動台の相対する二側面にはそれぞれ可動支持桿が設置され、可動台の別の相対する二側面には掛合桿が固定される。可動支持桿と固定支持桿の適する位置の間には弾性部品が設置され、各固定支持桿及び可動支持桿が同平面で引き合う時、可動台が回転し、更に掛合桿を固定支持桿上で折り畳み、各固定支持桿及び可動支持桿を同時に支えて固定する。また可動台を回転させて掛合桿を固定支持桿から外して折り畳むと、弾性部品の弾力によって、固定支持桿及び可動支持桿を同時に折り畳む。
【０００４】
しかしながら、上述の枢設ヘッド構造は、複雑で、コストに直接影響を与える。更に組立も簡単ではなく、安定性も不足している。また、ベビーベッドを折り畳む時、ベビーベッド壁面と底面の布面が膨らんでしっかりと折り畳むことができないので、体積を小さくすることができない。このため、続けて折り畳む時に、作業が困難になる。
【特許文献１】台湾  特許申請８４２１０４１７号
【考案の開示】
【考案が解決しようとする課題】
【０００５】
解決しようとする問題点は、ベビーベッド全体の安定性が不足し、枢設ヘッドの構造が複雑なため、コストを上げており、更に操作が煩雑である点である。
【課題を解決するための手段】
【０００６】
本考案は、外及び内支持脚が設置され、且つその外、内支持脚が重なって連接される。外支持脚には別に槽孔が設置され、そこに枢設軸が嵌着され、内支持脚には鉤槽が成形される。この枢設軸と外、内支持脚に嵌着する軸桿の間は圧縮バネで連接される。圧縮バネの弾力によって軸桿を引っ張り、桿体を開いて第一、第二接手を相互に掛合し、鉤槽に掛合されて固定する。また、枢設軸に設置された引き紐を引くと、第一、第二接手が鉤槽から外れて分離して、折り畳まれる。別に第一、第二接手に設置する桿体には細長孔が成形され、その細長孔に設置することによってベッドを折り畳んだ後、桿体を少し回転させ、全体の体積をより小さくすることを最も主要な特徴とする。
【考案の効果】
【０００７】
本考案のベビーベッドの底部枢設ヘッド構造は、ベビーベッド全体の安定性がよく、枢設ヘッドの構造が簡単で、コストを下げ、更に操作が簡易であるという利点がある。
【考案を実施するための最良の形態】
【０００８】
図１に示すとおり、本考案の枢設ヘッド構造は、ベビーベッドフレーム底部に設置する。図２に示すとおり、枢設ヘッドの構造は、第一接手１、第二接手２、枢設軸３、軸桿４、複数個の圧縮バネ５から構成される。そのうち、この第一接手１の本体には両側に下向き垂直の外支持脚１１が設置され、その外支持脚１１の内側に納置空間１１１が設置される。この二本の外支持脚１１間の本体上端には欠切口１５が形成され、外支持脚１１上方及び下方の適する位置にはそれぞれ傾斜した槽孔１２と枢設孔１３が穿設され、外支持脚１１の本体別側にはそれぞれ両辺に通孔１４が成形される。
第二接手の本体には両側に下向き垂直の内支持脚２１が設置され、更にこの二本の内支持脚２１は同時に第一接手１の外支持脚１１二本の間に納置される。この二本の内支持脚２１間の本体上端には第一接手１の欠切口１５に納置される複数個の凸塊２３が設置される。また、この内支持脚２１の上方、下方の適する位置にはそれぞれ傾斜した鉤槽２１１及び枢設孔２１２が成形される。更にこの枢設孔２１２は第一接手１の枢設孔１３位置に対応し、内支持脚２１の本体別側にはそれぞれ二辺の通孔２２が設置される。
【０００９】
軸桿４は、第一接手１の外支持脚１１の枢設孔１３と、第二接手の内支持脚２１の枢設孔２１２に挿し込み、第一、第二接手１，２を接続し、二本の内支持脚２１を二本の外支持脚１１の間に納置して重ねる。別に枢設軸３を第一接手１の槽孔１２に挿し込む。この軸桿４と枢設軸３間は圧縮バネ５で掛合され、圧縮バネ５によって繋がっている。また、圧縮バネ５は外支持脚１１の納置空間１１１内に収蔵することによって、枢設ヘッド全体の外観をすっきり見せる(図７参照)。更に圧縮バネ５の弾力によって、枢設軸３を槽孔１２内で下方向へ引いている。枢設ヘッドに枢設される四本の桿体６には、端部付近の相対壁面に細長孔６１が成形され、桿体６を第一接手１と第二接手２の通孔１４、２２に通した後、ピン６２を細長孔６１に通し、第一、第二接手１，２を接続する（図３及び図５参照）。
【００１０】
上述の構造の枢設軸３に、引き紐７を設置し(図３参照)、その引き紐７を引くことによって、枢設軸３が第二接手２の鉤槽２１１から外れ、第一、第二接手を開いて分離する(図４、図６参照)。第一、第二接手１，２が掛合する時には、圧縮バネ５の弾力によって枢設軸３を鉤槽２１１に入れて第一、第二接手１，２を固定する。その操作は簡易で、且つ構造が簡単であるため、製造コストも下がる。
この他、ピン６２を桿体６の細長孔６１に枢設する形態は、ベビーベッドを折り畳んだ時、更に桿体６を回転させると、膨らんだベッド布面を整理して更に体積を小さくするため、より収納しやすい。
【図面の簡単な説明】
【００１１】
【図１】本考案の枢設ヘッドがベビーベッド底部位置に設置された全体立体図である。
【図２】本考案の枢設ヘッドの部品分解指示図である。
【図３】本考案の枢設ヘッド閉合時の状態局部立体図である。
【図４】本考案の枢設ヘッドが開いて分離した時の立体図である。
【図５】本考案の枢設ヘッド閉合時の平面図である。
【図６】本考案の枢設ヘッドが完全に開いて分離した時の平面図である。
【図７】図６の俯瞰平面図である。
【符号の説明】
【００１２】
１        第一接手
１１        外支持脚
１１１        納置空間
１２        槽孔
１３        枢設孔
１４        通孔
１５        欠切口
２        第二接手
２１        内支持脚
２１１        鉤槽
２１２        枢設孔
２２        通孔
２３        凸塊
３        枢設軸
４        軸桿
５        圧縮バネ
６        桿体
６１        細長孔
６２        ピン
７        引き紐
【図１】
0003104102.tif 000003
【図２】
0003104102.tif 000004
【図３】
0003104102.tif 000005
【図４】
0003104102.tif 000006
【図５】
0003104102.tif 000007
【図６】
0003104102.tif 000008
【図７】
0003104102.tif 000009